(57)【要約】【課題】本発明は、端子保持部とハーネス接続端子を輪状ステータの外周の内側とし、輪状ステータの外周をインローとして使用することを目的とする。【解決手段】本発明によるレゾルバステータ構造は、ハーネス接続端子(7)及び端子保持部(6)が輪状ステータ(1)の外周(1c)の内側に位置し、輪状ステータ(1)の外周(1c)をインローとして機器に取付けができるようにした構成である。【選択図】図２
2005184952.tif 000002
【特許請求の範囲】
【請求項１】
所定間隔で内方へ向けて突出する複数の磁極(2)を有する輪状ステータ(1)と、前記輪状ステータ(1)の両面(1a,1b)に設けられた第１、第２輪状絶縁カバー(3,4)を介して前記各磁極(2)に巻回されたステータ巻線(5)と、前記第１、第２輪状絶縁カバー(3,4)の何れかの周縁に設けられＬ字型のハーネス接続端子(7)を有する端子保持部(6)とを有し、
前記ハーネス接続端子(7)は前記輪状ステータ(1)の外周(1c)の内側に位置し、前記ハーネス接続端子(7)の一端(7a)には前記ステータ巻線(5)が巻付けられ、前記ハーネス接続端子(7)の他端(7b)は前記輪状ステータ(1)の軸方向に沿って延設されていることを特徴とするレゾルバステータ構造。
【請求項２】
前記ハーネス接続端子(7)の前記一端(7a)は、前記磁極(2)と重合していることを特徴とする請求項１記載のレゾルバステータ構造。
【請求項３】
前記輪状ステータ(1)の外周(1c)は、インローとして用いられる構成としたことを特徴とする請求項１又は２記載のレゾルバステータ構造。
【発明の詳細な説明】
【技術分野】
【０００１】
本発明は、レゾルバステータ構造に関し、特に、ハーネス接続端子の取付位置を輪状ステータの外周の内側とし、機器へのレゾルバの取付けを容易化するための新規な改良に関する。
【背景技術】
【０００２】
従来、用いられていたこの種のレゾルバステータ構造としては、例えば、特許文献１、２、３に開示されている構成が採用されており、実際に製品化された構成としては、図３から図６で示される構成を挙げることができる。
【０００３】
図３及び図４において符号１で示されるものは輪状ステータであり、この輪状ステータ１の内面には、内方へ向けて突出する複数の磁極２が所定間隔で形成されている。
前記輪状ステータ１の第１、第２面１ａ、１ｂには、第１、第２輪状絶縁カバー３、４が設けられ、前記各磁極２には前記各輪状絶縁カバー３、４を介してステータ巻線５が設けられている。
【０００４】
前記各輪状絶縁カバー３、４は、前記輪状ステータ１の外周１ｃで一体でかつ端子保持部６を形成し、この端子保持部６にはＬ字型のハーネス接続端子７が一体成形されている。
このハーネス接続端子７の一端７ａにはステータ巻線５の端線が巻付けられ、その他端７ｂは輪状ステータ１の径方向に沿って延設されている。
【０００５】
次に、図５及び図６に示される構成は、図３及び図５の他の構成を示しており、前記端子保持部６の取付位置が輪状ステータ１の第２面１ｂ側へ変更になっているだけで、他の構成は図３及び図５の構成と同一であるため、同一部分には同一符号を付し、その説明は省略する。
【０００６】
【特許文献１】特開１１−９８７４８号公報
【特許文献２】特開１１−９８７４７号公報
【特許文献３】米国特許第６０２８３８３号明細書
【発明の開示】
【発明が解決しようとする課題】
【０００７】
従来のレゾルバステータ構造は、以上のように構成されていたため、次のような課題が存在していた。
すなわち、端子保持部及びハーネス接続端子が輪状ステータの外周すなわち外径から外側へ突出して位置していたため、機器への取付けスペースにおいて、端子を逃がすための逃げが必要であり、取付け側におけるスペース確保が必要で、機器の小型化への障害となっていた。
また、輪状ステータの外周をインローとして用いることができず、端子方向へステータが偏って取付けられることになり、この取付偏心によって角度検出精度が低下することがあった。
また、特許文献３の米国特許に開示された構成は、端子保持部が輪状ステータの外周の内側に位置しているが、接続リード線は、輪状ステータの径方向に沿って引出されるように接続されるため、前述と同様の課題が存在していた。
【課題を解決するための手段】
【０００８】
本発明によるレゾルバステータ構造は、所定間隔で内方へ向けて突出する複数の磁極を有する輪状ステータと、前記輪状ステータの両面に設けられた第１、第２輪状絶縁カバーを介して前記各磁極に巻回されたステータ巻線と、前記第１、第２輪状絶縁カバーの何れかの周縁に設けられＬ字型のハーネス接続端子を有する端子保持部とを有し、前記ハーネス接続端子は前記輪状ステータの外周の内側に位置し、前記ハーネス接続端子の一端には前記ステータ巻線が巻付けられ、前記ハーネス接続端子の他端は前記輪状ステータの軸方向に沿って延設されている構成であり、また、前記ハーネス接続端子の前記一端は、前記磁極と重合している構成であり、また、前記輪状ステータの外周は、インローとして用いられる構成である。
【発明の効果】
【０００９】
本発明によるレゾルバステータ構造は、以上のように構成されているため、次のような効果を得ることができる。
すなわち、ハーネス接続端子及び端子保持部が輪状ステータの外周の内側に位置しているため、輪状ステータの外周の全周をインローとして機器へ取付けができ、従来発生していた不具合を解消し、検出精度の低下を防ぎ、かつ、取付部スペースに逃げを設ける必要がなく、取付けと精度向上の両方を達成することができる。
【発明を実施するための最良の形態】
【００１０】
本発明は、ハーネス接続端子及び端子保持部を輪状ステータの外周の内側に位置させ、輪状ステータの外周をインローとして機器への取付けを可能とし、検出精度の向上を得ることを目的とする。
【実施例】
【００１１】
以下、図面と共に本発明によるレゾルバステータ構造の好適な実施の形態について説明する。尚、従来例と同一又は同等部分については同一符号を用いて説明する。
図１において符号１で示されるものは輪状ステータであり、この輪状ステータ１の内面には、内方へ向けて突出する複数の磁極２が所定間隔で形成されている。
【００１２】
前記輪状ステータ１の第１、第２面１ａ、１ｂには、第１、第２輪状絶縁カバー３、４が設けられ、前記各磁極２には前記各輪状絶縁カバー３、４を介してステータ巻線５が設けられている。
【００１３】
前記各輪状絶縁カバー３、４の中の何れか一方、ここでは、第２輪状絶縁カバー４（第１輪状絶縁カバー３でも可）の外端位置に、これと一体又は別体にて形成された横長形状の端子保持部６が設けられ、この端子保持部６は、図２で示されるように、輪状ステータ１の外周１ｃの内側に位置するように配設されている。
【００１４】
前記端子保持部６には、Ｌ字型をなすハーネス接続端子７が一体成形されており、各ハーネス接続端子７は何れも前記輪状ステータ１の外周（すなわち外径）の内側に位置し、その一端７ａは前記磁極２及びステータ巻線５と重合すると共にステータ巻線５の端線が巻付けられ、その他端７ｂは輪状ステータ１の軸方向に沿って延設されている。
【００１５】
前記輪状ステータ１の外周１ｃには、従来のように、端子保持部６等が何ら位置していないため、この輪状ステータ１を用いたレゾルバステータを図示しない機器の取付部に取付ける場合、この輪状ステータ１の外周１ｃをインローとして取付けることができ、従来のように、偏心を伴うことなく装着でき、検出精度も向上させることができる。
【産業上の利用可能性】
【００１６】
本発明は、レゾルバのみに限ることなく、例えば、シンクロ、エンコーダ、モータ等にも適用可能である。
【図面の簡単な説明】
【００１７】
【図１】本発明によるレゾルバステータ構造を示す平面図である。
【図２】図１の断面図である。
【図３】従来構成の平面図である。
【図４】図３の断面図である。
【図５】従来構成の平面図である。
【図６】図１の断面図である。
【符号の説明】
【００１８】
１    輪状ステータ
２    磁極
１ａ、１ｂ    第１、第２面（両面）
１ｃ    外周
３、４    第１、第２輪状絶縁カバー
５    ステータ巻線
６    端子保持部
７    ハーネス接続端子
【図１】
2005184952.tif 000003
【図２】
2005184952.tif 000004
【図３】
2005184952.tif 000005
【図４】
2005184952.tif 000006
【図５】
2005184952.tif 000007
【図６】
2005184952.tif 000008